(57)【要約】【課題】設置作業性を損なうことなく、建具の交換作業をも容易に実施すること。【解決手段】躯体開口４の室外側に位置する部分の内周が外装材７の屈曲部７ａによって覆われる取付枠５に対して、躯体開口４の内周部に枠体１０を介して取り付けられる建具の取付構造であって、枠体１０を構成する枠材１３は、室外側となる部位に見込み方向に沿って延在する防水固定ヒレ部１６を有し、防水固定ヒレ部１６が屈曲部７ａの端面７ｂよりも室内側に位置した状態で取付枠５に取り付けられており、取付枠５と防水固定ヒレ部１６とにわたって防水テープ３４が設けられ、かつ防水固定ヒレ部１６を覆うように屈曲部７ａの端面７ｂと枠材１３との間にシール材５０が設けられている。【選択図】図６
2019002170.tif 000002
【特許請求の範囲】
【請求項１】
躯体開口の室外側に位置する部分の内周が外装材の屈曲部によって覆われる躯体に対して、前記躯体開口の内周部に枠体を介して取り付けられる建具の取付構造であって、
前記枠体を構成する枠材は、室外側となる部位に見込み方向に沿って延在する延在部を有し、前記延在部が前記屈曲部の端面よりも室内側に位置した状態で前記躯体に取り付けられており、
前記躯体と前記延在部とにわたって防水部材が設けられ、かつ前記延在部を覆うように前記屈曲部の端面と前記枠材との間にシール材が設けられていることを特徴とする建具の取付構造。
【請求項２】
前記躯体には、外表面を覆う防水下地材が設けられており、前記防水部材は、前記防水下地材を介して前記躯体の表面を覆っていることを特徴とする請求項１に記載の建具の取付構造。
【請求項３】
前記枠材は、前記延在部を介して前記躯体にネジを螺合することにより前記躯体に取り付けられ、
前記防水部材は、前記ネジの頭部を覆う状態で前記延在部の表面に設けられていることを特徴とする請求項１に記載の建具の取付構造。
【請求項４】
前記枠材は、もっとも外周に位置する部分が内装材の内周面よりも内周側に位置した状態で前記躯体に取り付けられ、かつ室内に臨む見付け面が前記内装材に取り付けられた額縁部材によって支持されていることを特徴とする請求項１に記載の建具の取付構造。
【発明の詳細な説明】
【技術分野】
【０００１】
本発明は、建具の取付構造に関するもので、特に、躯体開口の室外側に位置する内周面が外装材の屈曲部によって覆われる躯体に対して、躯体開口の内周部に枠体を介して取り付けられる建具の取付構造に関する。
【背景技術】
【０００２】
建物には、建具が装着される躯体開口の室外側に位置する内周面を、外装材の屈曲部によって覆うように構成することにより、躯体開口の内周部において室内側に偏った位置に建具を取り付けるようにしたものがある。この種の建物に取り付けられる建具においては、枠体を構成する枠材の室外側に位置する部分に延在部が設けられているとともに、躯体の外表面を覆う防水シートが躯体開口の内周面まで延在しており、延在部の表面から防水シートの表面にわたって防水テープを貼り付けることで、室外から躯体側への水の浸入を防止するようにしている。また、外装材の屈曲部によって枠材の延在部を覆い、室外から延在部の端縁部までの実質的な距離を増やすことで水密性をさらに高めるようにしている（例えば、特許文献１参照）。
【先行技術文献】
【特許文献】
【０００３】
【特許文献１】特開２００６−８３６６０号公報
【発明の概要】
【発明が解決しようとする課題】
【０００４】
ところで、昨今においては、建物に設置された建具を交換することが多く行われており、建物に建具を設置する段階で建具の交換性を考慮しておくことが好ましい。しかしながら、上述の取付構造にあっては、枠材の延在部が外装材の屈曲部によって覆われた状態にある。このため、延在部の表面から防水シートの表面に設けた防水テープを剥がすための作業スペースを確保することが困難であり、建具の交換作業を考慮した場合、必ずしも好ましいとはいえない。因に、特許文献１においては、枠材を複数の部分に分割し、建具の交換に際しては枠材の一部のみを交換することで、防水テープを剥がす作業が不要となるようにしている。しかしながら、躯体に建具を設置する際には複数の部材を取り扱う必要があり、建具の設置作業の観点からは必ずしも好ましいとはいえない。
【０００５】
本発明は、上記実情に鑑みて、設置作業性を損なうことなく、建具の交換作業をも容易に実施することのできる建具の取付構造を提供することを目的とする。
【課題を解決するための手段】
【０００６】
上記目的を達成するため、本発明に係る建具の取付構造は、躯体開口の室外側に位置する部分の内周が外装材の屈曲部によって覆われる躯体に対して、前記躯体開口の内周部に枠体を介して取り付けられる建具の取付構造であって、前記枠体を構成する枠材は、室外側となる部位に見込み方向に沿って延在する延在部を有し、前記延在部が前記屈曲部の端面よりも室内側に位置した状態で前記躯体に取り付けられており、前記躯体と前記延在部とにわたって防水部材が設けられ、かつ前記延在部を覆うように前記屈曲部の端面と前記枠材との間にシール材が設けられていることを特徴とする。
【０００７】
この発明によれば、枠材の延在部が屈曲部の端面よりも室内側に位置し、かつ屈曲部の端面と枠材との間をシール材によって覆うようにしているため、シール材を除去すれば、枠材の延在部が外部に露出する。これにより、延在部から躯体の表面にわたって設けられた防水部材を除去することが可能となり、建具を容易に交換することが可能となる。しかも、枠材を複数の部分に分割する必要がないため、建具を取り付ける際の作業が煩雑化するおそれもない。
【０００８】
また本発明は、上述した建具の取付構造において、前記躯体には、外表面を覆う防水下地材が設けられており、前記防水部材は、前記防水下地材を介して前記躯体の表面を覆っていることを特徴とする。
【０００９】
この発明によれば、防水部材としては、躯体の外表面に設けられた防水下地材と枠材の延在部との境界部分を覆う程度の小型のものを適用すれば良く、広く躯体の外表面全体を覆う大きさを有したものを取り扱う必要がない。これにより、建具の設置現場においては、建具を設置する際や交換する際にも、単に小型の防水部材のみを取り扱えば良いため、それぞれの作業を容易に行うことが可能となる。
【００１０】
また本発明は、上述した建具の取付構造において、前記枠材は、前記延在部を介して前記躯体にネジを螺合することにより前記躯体に取り付けられ、前記防水部材は、前記ネジの頭部を覆う状態で前記延在部の表面に設けられていることを特徴とする。
【００１１】
この発明によれば、枠材の室外側に位置する部分においても躯体に連結することができ、枠材の取り付け強度を十分に確保できる。
【００１２】
また本発明は、上述した建具の取付構造において、前記枠材は、もっとも外周に位置する部分が内装材の内周面よりも内周側に位置した状態で前記躯体に取り付けられ、かつ室内に臨む見付け面が前記内装材に取り付けられた額縁部材によって支持されていることを特徴とする。
【００１３】
この発明によれば、額縁部材を取り外すことにより、枠材を躯体から室内側にそのまま引き出すことができ、建具の交換作業性を向上することが可能となる。
【発明の効果】
【００１４】
本発明によれば、枠材の延在部が屈曲部の端面よりも室内側に位置し、かつ屈曲部の端面と枠材との間をシール材によって覆うようにしているため、シール材を除去すれば、枠材の延在部が外部に露出する。これにより、延在部から躯体の表面にわたって設けられた防水部材を除去することが可能となり、建具を容易に交換することが可能となる。しかも、枠材を複数の部分に分割する必要がないため、建具を取り付ける際の作業が煩雑化するおそれもない。
【図面の簡単な説明】
【００１５】
【図１】本発明の実施の形態である取付構造を適用した建具の縦断面図である。
【図２】図１に示した建具の横断面図である。
【図３】図１に示した建具の枠体を構成する枠材の端面図である。
【図４】図１に示した建具の枠体を躯体に取り付ける状態の要部横断面図である。
【図５】図１に示した建具の枠体を躯体に取り付けた後、外装材を取り付ける状態の要部横断面図である。
【図６】図５に示した状態から外装材の屈曲部と枠体との間にシール材を充填した状態の要部横断面図である。
【図７】図６に示した状態からシール材を除去した後、延在部に螺合されていたネジを取り外した状態の要部横断面図である。
【発明を実施するための形態】
【００１６】
以下、添付図面を参照しながら本発明に係る建具の取付構造の好適な実施の形態について詳細に説明する。図１及び図２は、本発明の実施の形態である取付構造を適用した建具を示したものである。ここで例示する建具は、枠体１０に対して障子２０を面外方向に移動させることにより、障子２０を室外側に向けて開放するように構成した縦すべり出し窓と称されるものである。
【００１７】
建具が設置される建物には、２つの柱（躯体）１の間にまぐさ（躯体）２及び窓台（躯体）３を設けることにより、中心部に躯体開口４（図４参照）を有した矩形状の取付枠（躯体）５が構成してある。建具を取り付ける以前の状態において取付枠５の室内に臨む内表面には内装材６が設けてある。柱１及びまぐさ２においては、内装材６の内周面６ａが躯体開口４の内周面４ａとほぼ一致するように取付枠５に内装材６が取り付けてある。窓台３においては、内装材６の内周面６ａが躯体開口４の内周面４ａよりも外周側となるように取付枠５に内装材６が取り付けてある。建具を設置した後の建物には、取付枠５の外表面５ａとの間に通気層Ｖを確保した状態で外装材７が設けられる。柱１及びまぐさ２においては、外装材７の縁部に室内側に向けてほぼ直角に屈曲した屈曲部７ａが設けられており、躯体開口４の内周面４ａにおいて室外側に位置する部分が屈曲部７ａによって覆われている。屈曲部７ａと躯体開口４の内周面４ａとの間には隙間が確保してある。窓台３においては、外装材７の縁部が平板状のままであり、端面７ｂが躯体開口４の内周面４ａよりも外周側となるように取付枠５に外装材７が設けられている。
【００１８】
建具の障子２０は、矩形状を成す面材２１の四周に上框２２、下框２３及び左右の縦框２４を装着することによって構成したものである。面材２１は、ガラス等のパネルを複数積層することにより構成した複層パネルである。障子２０を構成するそれぞれの框材２２，２３，２４は、アルミニウム合金等の金属、もしくは樹脂によって成形した押し出し形材であり、見込み方向に沿った寸法が取付枠５の見込み方向に沿った寸法よりも短くなるように構成してある。本実施の形態では、上框２２、下框２３及び左右の縦框２４として、互いに同一の断面形状を有するものを適用している。
【００１９】
ここで、見込み方向とは、図中の矢印Ａで示すように、建具の奥行きに沿った方向である。見込み方向に沿った平面については見込み面と称する場合があり、見込み方向に沿った寸法については見込み寸法と称する場合がある。また、本実施の形態においては、見付け方向という用語も用いる。見付け方向とは、上框２２や下框２３のように左右に沿った部材の場合、見込み方向に直交した上下に沿う方向であり、縦框２４のように上下に沿った部材の場合、見込み方向に直交した左右に沿う方向である。見付け方向に沿った平面については見付け面と称する場合があり、見付け方向に沿った寸法については見付け寸法と称する場合がある。
【００２０】
枠体１０は、上枠１１、下枠１２及び左右の縦枠１３を四周枠組みすることによって構成したものである。本実施の形態では、障子２０の框材２２，２３，２４と同様、上枠１１、下枠１２及び左右の縦枠１３として、互いに同一の断面形状を有するものを適用している。枠体１０を構成するそれぞれの枠材１１，１２，１３は、アルミニウム合金等の金属、もしくは樹脂によって成形した押し出し形材であり、見込み寸法が取付枠５の見込み寸法よりも短く、かつ框材２２，２３，２４の見込み寸法よりも長くなるように構成してある。より具体的に説明すると、躯体開口４の内周面４ａにおいて、外装材７の屈曲部７ａによって覆われない室内側部分の見込み寸法とほぼ同じ見込み寸法を有するようにそれぞれの枠材１１，１２，１３が構成してある。以下、枠体１０を構成する枠材１１，１２，１３について詳述し、併せて本願発明の特徴部分について説明する。なお、以下の説明においては便宜上、取付枠５に取り付けた状態の姿勢で枠材１１，１２，１３の説明を行うこととする。
【００２１】
図１〜図３に示すように、それぞれ枠材１１，１２，１３は、基枠部１４、当接部１５及び防水固定ヒレ部（延在部）１６を有している。基枠部１４は、断面が略矩形の筒状を成す部分である。基枠部１４の外周側となる部分には、見込み方向の中央部分に凹溝１４ａが設けてある。当接部１５は、基枠部１４の内周側、かつ室内側の隅部から内周側に向けて延在したものである。当接部１５の延在縁部において室外に臨む見付け面には、タイト材１７を装着するための装着溝１５ａが形成してある。防水固定ヒレ部１６は、基枠部１４の外周側、かつ室外側の隅部から室外に向けて延在した平板状部分であり、基枠部１４の外周側に位置する部分と同一の平面となるように構成してある。これらの枠材１１，１２，１３は、取付枠５に取り付ける以前に互いに端部が接合され（留め継ぎ）、枠体１０を構成した状態となる。
【００２２】
上記のように構成した枠体１０を取付枠５に取り付けるには、図４に示すように、まず、取付枠５の外表面５ａから躯体開口４の内周面４ａにわたる部位に防水下地材として防水シート３０を設ける。図１及び図２に示すように、柱１及び窓台３については、躯体開口４の内周面４ａ全面にわたる部位に防水シート３０を設けるようにしている。一方、まぐさ２については、上枠１１を取り付ける部位にわずかに重なるように躯体開口４の内周面４ａにおいて室外側となる部分までの間に防水シート３０を設けるようにしている。
【００２３】
次いで、この状態から、図５に示すように、防水固定ヒレ部１６が室外側に位置し、かつ基枠部１４及び当接部１５の室内に臨む見付け面が取付枠５の室内に臨む見付け面５ｂと同一の平面上に位置する状態で、基枠部１４の外周面を介して躯体開口４の内周面４ａにそれぞれの枠材１１，１２，１３を当接させる。図１及び図２に示すように、窓台３については、凹溝１４ａにシール部材３１を配置した状態で基枠部１４の外周面を直接防水シート３０に当接させるようにしている。これに対して柱１及びまぐさ２については、躯体開口４の内周面４ａ（防水シート３０の表面もしくはまぐさ２の内周面）と基枠部１４の外周面との間にシール部材３１及びスペーサ部材３２を介在させるようにしている。スペーサ部材３２としては、取付枠５に対する枠材１１，１２，１３の位置を規定できるように、硬質部材によって成形したものを適用し、防水固定ヒレ部１６から凹溝１４ａを超えて室内側となる部位までの間にわたって配設している。シール部材３１は、スペーサ部材３２よりも室内側となる部位に配設するようにしている。
【００２４】
この状態から防水固定ヒレ部１６を介して取付枠５にネジ３３を螺合すれば、枠体１０を取付枠５に取り付けることが可能となる。ネジ３３を螺合した防水固定ヒレ部１６に対しては、図５に示すように、ネジ３３の頭部を覆う状態でその表面から防水シート３０までの間を防水テープ（防水部材）３４によって覆うようにしている。
【００２５】
次いで、図６に示すように、取付枠５の外表面５ａに適宜胴縁３５を配置し、取付枠５との間に通気層Ｖを確保した状態で外装材７を取り付けるとともに、内装材６の内周となる部分に額縁部材３６を取り付ける。額縁部材３６は、内装材６の内周面６ａから内周側に突出し、それぞれの枠材１１，１２，１３に対して室内に臨む見付け面を支持するように機能するものである。
【００２６】
図１に示すように、まぐさ２と外装材７との間については、さらに上部水切り部材４０を設けるようにしている。上部水切り部材４０は、通気層Ｖの下部において通気層Ｖを通過した雨水等の水を受け止めた後、屈曲部７ａと上枠１１との間に設けた排水口４１から下方に排水するものである。
【００２７】
その後、上枠１１においては、上部水切り部材４０と上枠１１の見付け面との間にシール材５０を充填し、左右の縦枠１３については、屈曲部７ａの端面と縦枠１３の見付け面との間にシール材５０を充填するようにしている。図中の符号５１は、シール材５０を充填する際に適用するバックアップ材である。
【００２８】
下枠１２については、下枠１２の見付け面から室外側に向けて漸次下方となるように傾斜した下部水切り部材６０を設けることにより、窓台３から外装材７の端面までの間を覆い隠すようにしている。下部水切り部材６０の先端部と外装材７との間には、シール材５０を充填するようにしている。また、下部水切り部材６０を下枠１２に螺合するネジ６１の周囲には、シール部材６２を介在させるようにしている。
【００２９】
上記のようにして取り付けた建具では、それぞれの枠材１１，１２，１３が躯体開口４の内周面４ａ内に配置され、窓台３に対する下枠１２の掛かり代が大きく確保される。このため、この建具によれば、経年によっても枠体１０が室外側に転ぶような事態を招来するおそれがなくなる。しかも、取付枠５の外表面５ａから躯体開口４の内周面４ａにわたって配置された防水シート３０に対して、防水固定ヒレ部１６の表面から防水テープ３４を貼り付けるようにしているため、雨水等の室外の水が取付枠５と枠体１０との隙間から室内側に浸入する事態を招来することもない。さらに、まぐさ２と外装材７との間に上部水切り部材４０を配設しているため、通気層Ｖを通過する雨水等の水は、この上部水切り部材４０で受け止められて排水口４１から下方に排水されることになり、外装材７の屈曲部７ａに滞留するおそれがなくなる。
【００３０】
一方、上述の状態から、図７に示すように、屈曲部７ａの端面７ｂと枠材１１，１２，１３の見付け面との間に充填したシール材５０を除去すると、外装材７を取り外すことなく、外装材７と枠材１１，１２，１３との隙間を通じて外部から防水固定ヒレ部１６を視認することができるようになる。従って、この状態から防水テープ３４を剥がした後、ネジ３３を取り外せば、取付枠５に対する枠体１０の固定状態が解除されることになる。これにより、額縁部材３６を取り外せば、枠体１０を取付枠５から室内側にそのまま引き出すことができ、建具の交換作業性を向上することが可能となる。しかも、上述のように、この建具では、単体の枠材１１，１２，１３を枠組みして枠体１０を構成するようにしているため、取り扱う部品点数が多くなることもなく、枠体１０の設置作業が煩雑になるおそれもない。
【００３１】
なお、上述した実施の形態では、建具として縦すべり出し窓を例示しているが、その他の建具にも適用することが可能である。また、上枠１１、下枠１２及び左右の縦枠１３が同一の断面形状を有するものを例示しているが、枠材のそれぞれが延在部である防水固定ヒレ部１６を有していれば、互いに異なる断面形状を有した枠材によって枠体が構成されていても良い。さらに、外装材７の屈曲部７ａが左右の柱１及びまぐさ２に対向する部位にのみ設けられているが、窓台３に対応する部位に屈曲部７ａが設けられていても良い。
【００３２】
また、上述した実施の形態では、延在部１６を介して躯体１，２，３にネジ３３を螺合するようにしているが、枠材１１，１２，１３を躯体１，２，３に取り付けるためのネジ３３は、必ずしも延在部１６に螺合する必要はない。
【００３３】
さらに、上述した実施の形態では、屈曲部７ａの端面７ｂと枠材１１，１２，１３との隙間から延在部１６のほぼ全面が外部に露出するように構成しているが、本発明は必ずしもこれに限定されず、少なくとも延在部１６の一部が屈曲部の端面と枠材との隙間から外部に露出すれば十分である。
【符号の説明】
【００３４】
１  柱、２  まぐさ、３  窓台、４  躯体開口、４ａ  内周面、５  取付枠、５ａ  外表面、５ｂ  見付け面、６  内装材、６ａ  内周面、７  外装材、７ａ  屈曲部、７ｂ  端面、１０  枠体、１１，１２，１３  枠材、１６  防水固定ヒレ部、３０  防水シート、３３  ネジ、３４  防水テープ、３６  額縁部材、５０  シール材
【図１】
2019002170.tif 000003
【図２】
2019002170.tif 000004
【図３】
2019002170.tif 000005
【図４】
2019002170.tif 000006
【図５】
2019002170.tif 000007
【図６】
2019002170.tif 000008
【図７】
2019002170.tif 000009